(57)【要約】【課題】鉢カバー、バスケット、衝立、パーゴラ、額縁等の鉢植えの木や草花を装飾する器具にＬＥＤ照明器具を付加して鉢植えの木や草花を明るく照らすることにより、木や草花の色を鮮やかに見せることができるようにするとともに鉢植えの木や草花の日照不足を補うことができる装飾器具を提供する。【解決手段】鉢カバー、バスケット、衝立、パーゴラ、額縁等の鉢植えの木や草花の装飾器具に、光の三原色である赤、緑、青の３波長または白色の光を照射できるＬＥＤ照明器具を付加する。また現在すでに使用されている鉢カバー、バスケット、衝立、パーゴラ、額縁等の鉢植えの木や草花の装飾器具に簡単に取り付けられるよう弾力性のある帯状の素材にＬＥＤを帯状に配したＬＥＤ照明器具を提供する。【選択図】図５
2011018626.tif 000002
【特許請求の範囲】
【請求項１】
光の三原色である赤、緑、青の３波長または白色の光を照射できるＬＥＤ照明器具を付加した鉢カバー、バスケット、衝立、パーゴラ、額縁等の鉢植えの木や草花の装飾器具
【請求項２】
現在すでに使用されている鉢カバー、バスケット、衝立、パーゴラ、額縁等の鉢植えの木や草花の装飾器具に、簡単に取り付けられるよう弾力性のある帯状の素材にＬＥＤを帯状に配しカバーを付けたＬＥＤ照明器具
【発明の詳細な説明】
【技術分野】
【０００１】鉢を装飾する器具に関するものである。
【背景技術】
【０００２】  日が差しこむと木や草花の色はとても鮮やかに見えるが日陰では木や草花がもつ本来の色の鮮やかさを楽しむことができない。また鉢植えの草花の多くは日当たりのよい場所を好み長い日照時を必要とするものが多いが都市部においては日当たりのよい場所を好む鉢植えの木や草花を置いて楽しみたくても十分な日照時間を確保できない世帯が多くある。鉢植えの木や草花を室内に置こうとすると日照時間を確保するのは更に困難になる。【０００３】現在ＬＥＤの多くは街路樹に設置され夜間ＬＥＤが発する光をイルミネーションとして楽しまれている。一方ＬＥＤは照明器具としても普及しつつありＬＥＤ照明を利用して野菜を栽培する方法も実用化されている。【０００４】ＬＥＤの光をイルミネーションとして楽しむために鉢植えの木や草花に付加し鑑賞するものはある。鉢植えの木や草花を装飾する器具には鉢カバー、バスケット、衝立、パーゴラ、額縁等いろいろなタイプがあるがＬＥＤによる照明を使って鉢植えの木や草花を明るく照らす機能を併せ持つものはなかった。
【先行技術文献】
【特許文献】
【０００５】  特許公開２００８−３０１７９６
特許公開２００４−１１３１６０
特許公開２００５−１９２５１７
登録実用新案第３１４０６０９号
【発明の概要】
【発明が解決しようとする課題】
【０００６】鉢カバー、バスケット、衝立、パーゴラ、額縁等の鉢植えの木や草花を装飾する器具に光の三原色である赤、緑、青の３波長または白色の光を照射できるＬＥＤ照明器具を付加して鉢植えの木や草花を明るく照らすることにより、木や草花の色を鮮やかに見せることができるようにするとともに鉢植えの木や草花の日照不足を補うことができる鉢植えの木や草花の装飾器具を提供する。
【課題を解決するための手段】
【０００７】鉢カバー、バスケット、衝立、パーゴラ、額縁等の鉢植えの木や草花の装飾器具に、光の三原色である赤、緑、青の３波長または白色の光を照射できるＬＥＤ照明器具を付加する。また現在すでに使用されている鉢カバー、バスケット、衝立、パーゴラ、額縁等の鉢植えの木や草花の装飾器具に、簡単に取り付けられるよう弾力性のある帯状の素材にＬＥＤを帯状に配してカバーを付けたＬＥＤ照明器具を提供する。
【発明の効果】
【０００８】木や草花に光の三原色である赤、緑、青の３波長または白色の光を照射することにより、木や草花の色を鮮やかに見せることができる。【０００９】  光の三原色である赤、緑、青の３波長または白色の光を照射できるＬＥＤ照明器具を付加して鉢植えの木や草花を明るく照らすることにより、日照不足を補い日当たりを好む鉢植えの木や草花を日照時間が短いベランダや室内でもより長い期間楽しむことが出来るようになる。【００１０】ＬＥＤは電球や蛍光灯に比べとてもコンパクトであり熱の発生も少ないので、木や草花の近くに多くのＬＥＤを自由に配置することができる。ＬＥＤ照明を使うことにより照明器具の存在を目立たせることなく鉢の装飾器具に設置することが容易である。【００１１】ＬＥＤによる照明は電球や蛍光灯に比べ消費電力が非常に少なく省エネである。ＬＥＤは発光色、照度、指向特性、形状などの種類も豊富にそろっており花の部分にだけスポットライトを当てたり背面の壁に照明を当てて間接的に照明を当てたりすることも容易にできる。【００１２】日照不足補う効果や任意の色に調整できる機能を重視せず木や草花の色を鮮やかに見せる機能に限定する場合は白色のＬＥＤだけもよい。赤、緑、青ＬＥＤをバランスよく配置し照度をうまくバランスさせると白色を得ることができる。ただし白色を得るには３個のＬＥＤが必要となるためコストは高くなる。ＬＥＤの発光色は目的に合わせて設定する。【００１３】ＬＥＤは光の三原色である赤、緑、青の３波長を照射するＬＥＤそれぞれの回路に切断スイッチや電流を自由に制御できる回路を取り付けることにより鉢植えの木や草花を照らす光の色や照度を自由に設定できる。赤色や青色のＬＥＤの光源が草花の栽培に有効なことはすでに実証されており白色単色による照明だけでなく赤、緑、青の３波長の光源を組み合わせることにより日照不足を補うＬＥＤ照明の効果を高くすることができる。
【図面の簡単な説明】
【００１４】
【図１】は鉢カバーにＬＥＤ照明を付加した実施例を示した正面から見た断面図である。
【図２】は鉢カバーにＬＥＤ照明を付加した実施例を示した平面図である。
【図３】はバスケット型の装飾器具にＬＥＤ照明を付加した実施例を示した正面から見た断面図である。
【図４】はバスケット型の装飾器具にＬＥＤ照明を付加した実施例を示した断面図である。
【図５】はアーチ型のパーゴラタイプの装飾具にＬＥＤ照明を付加した実施例を示した正面から見た断面図である。
【図６】はアーチ型のパーゴラタイプの装飾具に付加したＬＥＤ照明の実施例を示した断面図である。
【図７】は衝立型の装飾具にＬＥＤ照明を付加した実施例を示した正面図である。
【図８】は衝立型の装飾具にＬＥＤ照明を付加した実施例を示した側面断面図である。
【図９】は額縁型の装飾具にＬＥＤ照明を付加した実施例を示した正面図である。
【図１０】は額縁型の装飾具にＬＥＤ照明を付加した実施例を示した側面断面図である。
【図１１】は既存の装飾具に取り付けられるＬＥＤ照明の実施例を示した正面図である。
【図１２】は既存の装飾具に取り付けられるＬＥＤ照明の実施例を示した断面図である。
【発明を実施するための形態】
【００１５】発明の実施の形態を代表的な実施例にもとづき図面１から図面１０を参照して説明する。
【実施例】
【００１６】  図１及び図２の実施例では鉢の周りを被う鉢カバーの上端部に赤、緑、青の３波長または白色の光を照射できるＬＥＤ照明２を取り付ける。鉢植えの木や草花に手前の下側からＬＥＤ照明の光を当てる。草花を観賞する位置からはＬＥＤの光源が直接見えないように設置したほうがよい。【００１７】  図３及び図４に示す実施例ではバスケット型の装飾器具３の取っ手部分に赤、緑、青の３波長または白色の光を照射できるＬＥＤ照明２を取り付ける。バスケット内に置かれた鉢植えの木や草花に上側からＬＥＤ照明の光を当てる。草花を観賞する位置からはＬＥＤの光源が直接見えないように設置したほうがよい。【００１８】  図５及び図６の実施例ではアーチ型のパーゴラタイプの装飾器具１に赤、緑、青の３波長または白色の光を照射できるＬＥＤ照明２を取り付ける。鉢植えの木や草花に上側及び斜め上側からＬＥＤ照明の光を当てる。草花を観賞する位置からはＬＥＤの光源が直接見えないように設置したほうがよい。【００１９】    図７及び図８に示す実施例では鉢を被うカバーの背面にラティスを衝立した装飾器具４の上端部分に赤、緑、青の３波長または白色の光を照射できるＬＥＤ照明を取り付ける。鉢植えの木や草花に上側からＬＥＤ照明の光を当てる。草花を観賞する位置からはＬＥＤの光源が直接見えないように設置したほうがよい。【００２０】  図９及び図１０の実施例では額縁型の装飾具５の背面に赤、緑、青の３波長または白色の光を照射できるＬＥＤ照明２を取り付ける。鉢植えの木や草花に前方からＬＥＤ照明の光を当てる。【００２１】  図１１及び図１２の実施例では現在すでに使用されている鉢カバー、バスケット、衝立、パーゴラ、額縁等の鉢植えの木や草花の装飾器具に簡単に取り付けられるよう弾力性のある帯状の素材にＬＥＤを帯状に配したＬＥＤ照明器具を示す。草花を観賞する位置からはＬＥＤの光源が直接見えないようにカバーを設置する。必要により防水または防滴処理をする。両面テープやクリップやねじ等を利用して装飾器具へ固定方法する。紐等で縛り付けてもよい。【００２２】  ＬＥＤ照明を点灯させるためには電流を制御できるＤＣ電源回路が必要である。１００  ＶＡＣ電源からＤＣ電源に変換する電源アダプター、乾電池、バッテリーや太陽電池な  どをＤＣ電源として利用できる。電流はＩＣや抵抗または定電流ダイオード等を用いて  制限できる。赤、緑、青の３波長または白色の光源とするＬＥＤそれぞれの回路にスイ  ッチや電流を制御する回路を組み込みそれぞれの色のＬＥＤに流れる電流を調整できる  ようにすれば赤、緑、青のＬＥＤから照射されるそれぞれの光の色を合成して任意の色  に設定することも可能である。
【産業上の利用可能性】
【００２３】  日当たりの確保できにくい室内で鉢植えの木や草花を鮮やかな色に見せることによって販売店の店内で鉢植えの木や草花の商品価値を高く見せることができる。【００２４】  ＬＥＤの性能は今後更に向上しコストも安くなることが期待できる。室内に鉢植えの草花を置こうとすると日照時間を確保することは難しいが消費電力の少ないＬＥＤ照明を利用して日照不足を補うことができればより多くの世帯がベランダや室内でも鉢植えの木や草花を楽しむことができるようになる。日照時間が少ないベランダや室内でも日当たりを好む木や草花を楽しむことができるようになれば日当たりを好む木や草花の需要増加が期待できる。【００２５】  将来ＬＥＤ照明の他に有機ＥＬを利用した照明器具も利用できるようになると考えられている。ＬＥＤ照明と同じように有機ＥＬも鉢の装飾器具の照明として利用可能である。
【符号の説明】
【００２６】１  赤、緑、青の３波長または白色の光源とするＬＥＤ
２  鉢カバー
３  バスケット型の装飾器具
４  アーチ型のパーゴラタイプの装飾器具
５  ラティスを衝立にした装飾器具
６  額縁型の装飾器具
７  ＤＣ電源アダプター（電流を制限するＤＣ電源回路）
８  弾力性のある帯状の素材
９  カバー
【図１】
2011018626.tif 000003
【図２】
2011018626.tif 000004
【図３】
2011018626.tif 000005
【図４】
2011018626.tif 000006
【図５】
2011018626.tif 000007
【図６】
2011018626.tif 000008
【図７】
2011018626.tif 000009
【図８】
2011018626.tif 000010
【図９】
2011018626.tif 000011
【図１０】
2011018626.tif 000012
【図１１】
2011018626.tif 000013
【図１２】
2011018626.tif 000014